(57)【特許請求の範囲】
【請求項１】
デジタルテレビ放送の他、音声データと文字データとを含むデジタルラジオ放送も放送されているデジタル放送を受信するためのデジタル放送受信機において、
音声データと文字データとを含むデジタルラジオ放送受信時の画面表示モードとして、デジタルラジオ放送によって送られてくる文字データを表示するための画面表示を行う通常モードと、上記画面表示を行わない省エネモードとがあり、この画面表示モードをユーザに予め設定させるための設定手段、ならびに
省エネモードが設定されている場合において、デジタルラジオ放送を受信した際には、画面表示を行なわないようにさせる制御手段、
を備えていることを特徴とするデジタル放送受信機。
【発明の詳細な説明】
【０００１】
【発明の属する技術分野】
この発明は、デジタル放送を受信可能で双方向サービスに対応するためのモデムを備えたデジタル放送受信機に関する。
【０００２】
【従来の技術】
デジタル放送では、デジタルテレビ放送の他、デジタルラジオ放送も放送されている。デジタルラジオ放送を受信している場合には、画面には、デジタルラジオ放送によって送られてくる文字データが表示されている。しかしながら、ユーザによっては、デジタルラジオ放送を受信している場合に、ラジオ音声のみを聞きたい、つまり、画面表示をなくしたい場合がある。
【０００３】
そこで、デジタルラジオ放送を受信している場合には、画面表示を行わないような設定ができると便利である。
【０００４】
ところで、デジタル放送受信機内のモデムが接続された電話回線に電話機が併設されている場合がある。このような場合において、電話機の使用状態や、モデムの使用状態をデジタル放送受信機のモニタに画面表示することが考えられる。しかしながら、上述したように、デジタルラジオ放送受信時に画面表示を行わないようにした場合には、電話機の使用状態や、モデムの使用状態をデジタル放送受信機のモニタに画面表示することができなくなる。
【０００５】
【発明が解決しようとする課題】
この発明は、デジタルラジオ放送を受信している場合に、画面表示を行わないようにできるデジタル放送受信機を提供することを目的とする。
【０００８】
【課題を解決するための手段】
この発明によるデジタル放送受信機は、デジタルテレビ放送の他、音声データと文字データとを含むデジタルラジオ放送も放送されているデジタル放送を受信するためのデジタル放送受信機において、音声データと文字データとを含むデジタルラジオ放送受信時の画面表示モードとして、デジタルラジオ放送によって送られてくる文字データを表示するための画面表示を行う通常モードと、上記画面表示を行わない省エネモードとがあり、この画面表示モードをユーザに予め設定させるための設定手段、ならびに省エネモードが設定されている場合において、デジタルラジオ放送を受信した際には、画面表示を行なわないようにさせる制御手段を備えていることを特徴とする。
【００１２】
【発明の実施の形態】
以下、図面を参照して、この発明を双方向サービス対応のＢＳデジタル放送受信機に適用した場合の実施の形態について説明する。
【００１３】
図１は、デジタル放送受信機と電話機との接続状態を示している。
【００１４】
デジタル放送受信機１と電話機３とは電話線分配器４を介して電話回線５に接続されている。デジタル放送受信機１の前面下部には、３つのＬＥＤ１１、１２、１３が設けられている。
【００１５】
図２は、デジタルラジオ放送受信時に関する初期設定メニューの画面を示している。
【００１６】
この初期設定メニューでは、デジタルラジオ放送受信中に外部から電話機に電話がかかってきたときの、デジタル放送受信機の出力音声の音量を設定できるとともに、デジタルラジオ放送受信時に画面表示を行なうか否かを設定することができる。
【００１７】
音量設定項目には、”変更しない”、”半分にする”および”ミュート”にするの３項目がある。画面表示の設定項目には、”省エネモード（画面表示しない）”と、”通常モード（画面表示する）”との２項目がある。
【００１８】
”省エネモード”が選択されている場合には、デジタルラジオ放送受信時に画面表示は行なわれない。つまり、デジタルラジオ放送の音声のみが出力される。”通常モード”が選択されている場合には、デジタルラジオ放送受信時においてデジタルラジオ放送の音声が出力されると同時に、デジタルラジオ放送によって送られてきている文字データが画面表示される。
【００１９】
”省エネモード”および”通常モード”のいずれに設定された場合にも、後述するように、電話機の使用状態や、モデムの使用状態がＬＥＤ１２、１３によって表示される。なお、”通常モード”が選択された場合には、電話機の使用状態や、モデムの使用状態を画面にメッセージ表示することも可能である。
【００２０】
図３は、デジタル放送受信機の構成を示している。
【００２１】
デジタル放送受信機は、ＣＰＵ１０５、ＣＰＵ１１７、メモリ１０６、モデム１０７、３つのＬＥＤ１１、１２、１３およびＬＥＤ駆動回路２１、２２、２３を備えている。
【００２２】
アンテナ１０１から入力された受信信号はチューナ１０２に送られ、高周波処理が行なわれる。チューナ１０２の出力は復調回路１０３に送られて復調される。復調された信号は、ＭＰＥＧ−ＴＳ分離回路１０４へ送られる。
【００２３】
ＭＰＥＧ−ＴＳ分離回路１０４では、ユーザが指定したチャンネルの映像データおよび音声データならびに番組情報等を取得するための処理が行なわれる。ＭＰＥＧ−ＴＳ分離回路１０４によって取得された映像データは、映像処理部１０９に送られる。ＭＰＥＧ−ＴＳ分離回路１０４によって取得された音声データは、音声処理部１１０に送られる。ＭＰＥＧ−ＴＳ分離回路１０４によって取得された番組情報は、ＯＳＤ部１０８に送られる。
【００２４】
次に音声処理部１１０に送られた音声信号の流れを説明する。音声信号は音声処理部１１０で処理された後、Ｄ／Ａ変換１１１へ送られてデジタル信号からアナログ信号へ変換される。Ｄ／Ａ変換１１１によって得られたアナログの音声信号は、ＡＶコントロール１１２、ボリュームコントロール１１３およびアンプ１１４を介してスピーカ１１５から出力される。
【００２５】
ＡＶコントロール１１２は、リモコン１１６からＣＰＵ１１７に入力された音声切り替え信号に基づいて、ビデオ出力音声、デジタル放送音声などユーザが選択した音声を選択して出力する。ボリュームコントロール１１３は、リモコン１１６からＣＰＵ１１７に入力された音声設定値またはＣＰＵ１１７による制御に基づいて、入力音声の音量を調整する。
【００２６】
初期設定メニューにおいて、”省エネモード”が設定されている場合において、デジタルラジオ放送を受信した場合には、ＣＰＵ１０５は画面表示を行なわないように各部を制御する。初期設定メニューにおいて、”通常モード”が設定されている場合において、デジタルラジオ放送を受信した場合には、ＣＰＵ１０５は画面表示を行なうように各部を制御する。
【００２７】
以下、デジタルラジオ放送受信中において、ＣＰＵ１０５によって行なわれるＬＥＤ１１、１２、１３の制御方法について説明する。
【００２８】
（１）ＬＥＤ１１の制御について
デジタルラジオ放送受信中において、デジタルラジオ放送の音声を外部の録音機器によって録音している場合にのみ、ＬＥＤ１１を点灯させる。
【００２９】
（２）ＬＥＤ１２の制御について
デジタルラジオ放送受信中において、電話機３に対して外部から電話がかかってきたときに、ＬＥＤ１２を点滅させる。電話機３が使用中である場合に、ＬＥＤ１２を点灯させる。
【００３０】
なお、初期設定メニューにおいて、音量を”半分にする”が設定されている場合において、デジタルラジオ放送受信中に電話機３に対して外部から電話がかかってきたときには、ＣＰＵ１１７はボリュームコントロール１１３を制御して、音量を半分に調整する。初期設定メニューにおいて、音量を”ミュートする”が設定されている場合において、デジタルラジオ放送受信中に電話機３に対して外部から電話がかかってきたときには、ＣＰＵ１１７はボリュームコントロール１１３を制御して、音声をミュートする。
【００３１】
（３）ＬＥＤ１３の制御について
デジタルラジオ放送受信中において、モデム１０７による回線接続動作が行なわれているときには、ＬＥＤ１３を赤色点灯させる。そして、モデム１０７による回線接続動作による回線接続が成功した場合には、ＬＥＤ１３を３０秒間、青点灯させる。モデム１０７による回線接続動作による回線接続が失敗した場合には、ＬＥＤ１３を赤点滅させる。
【００３２】
以上は、デジタルラジオ放送受信中のＬＥＤ１１、１２、１３の制御方法について説明したが、他のデジタル放送を受信している場合にも、ＬＥＤ１１、１２、１３に対して同様な制御を行なってもよい。
【００３３】
【発明の効果】
この発明によれば、デジタルラジオ放送を受信している場合に、画面表示を行わないようにすることができる。
【図面の簡単な説明】
【図１】デジタル放送受信機と電話機との接続状態を示す模式図である。
【図２】デジタルラジオ放送受信時に関する初期設定メニューの画面を示の一例を示す模式図である。
【図３】デジタル放送受信機の構成を示すブロック図である。
【符号の説明】
１  デジタル放送受信機
３  電話機
４  電話線分配機
５  電話回線
１１、１２、１３  ＬＥＤ
１０１  アンテナ
１０２  チューナ
１０３  復調回路
１０４  ＭＰＥＧ−ＴＳ分離回路
１０５  ＣＰＵ
１０６  メモリ
１０７  モデム
１１０  音声処理部
１１１  Ｄ／Ａ変換
１１２  ＡＶコントロール
１１３  ボリュームコントロール
１１４  アンプ
１１５  スピーカ
１１６  リモコン
１１７  ＣＰＵ
【図１】
0003643752.tif 000002
【図２】
0003643752.tif 000003
【図３】
0003643752.tif 000004